(57)【要約】【課題】  光ディスクを挿入せずとも、ネットワークサーバ上のコンテンツデータが更新されているかどうかをユーザが確認することのできる光ディスク読込装置を提供する。【解決手段】  光ディスク読込装置の実施例であるＨＤ  ＤＶＤプレーヤ２は、光ディスクＤからデータを読込み、メタデータ解析部２０２で解析したＵＲＩ等のアクセス情報を、コンテンツ情報記憶部２０４にコンテンツ情報２０４ａとして記憶する。トリガ検出部２０５で何らかのトリガを検出すると、当該アクセス情報に基づいてコンテンツ更新検出部２０８はネットワークサーバ３からコンテンツデータの更新時刻を取得し、ネットワークサーバ３上のコンテンツデータが更新されているか否かを検出する。もし更新されていれば、コンテンツ更新通知部２０９はユーザにその旨を通知する。【選択図】      図５
2008090909.tif 000002
【特許請求の範囲】
【請求項１】
光ディスクを読み込む光ディスク読込部と、
前記光ディスク読込部が前記光ディスクから読み込んだ、ネットワークサーバからコンテンツデータを取得するためのアクセス情報を記憶すると共に、当該アクセス情報により前記ネットワークサーバから取得可能な前記コンテンツデータの更新時刻を記憶する記憶部と、
前記アクセス情報により、前記ネットワークサーバとネットワークを介して通信する通信部と、
前記ネットワークサーバ上にある前記コンテンツデータの更新時刻を、前記通信部を介して取得するコンテンツ更新検出部と、
前記コンテンツ更新検出部が取得した更新時刻が、前記記憶部が記憶する更新時刻と相違する場合に、ネットワークサーバ上の前記コンテンツデータが更新されていることを通知する通知部と
を備えることを特徴とする光ディスク読込装置。
【請求項２】
前記光ディスク読込部が読み込む前記光ディスクは、ＨＤ  ＤＶＤ（Ｈｉｇｈ−Ｄｅｆｉｎｉｔｉｏｎ  Ｄｉｔｉｔａｌ  Ｖｅｒｓａｔｉｌｅ  Ｄｉｓｋ）規格の光ディスクであること
を特徴とする請求項１記載の光ディスク読込装置。
【請求項３】
前記コンテンツ更新検出部は、前記光ディスク読込部が前記光ディスクを読み込んだ際に、前記ネットワークサーバ上にある前記コンテンツデータの更新時刻を取得すること
を特徴とする請求項１記載の光ディスク読込装置。
【請求項４】
前記コンテンツ更新検出部は、電源投入時に、前記ネットワークサーバ上にある前記コンテンツデータの更新時刻を取得すること
を特徴とする請求項１記載の光ディスク読込装置。
【請求項５】
光ディスクを読み込む第１のステップと、
前記光ディスクから読み込んだ、ネットワークサーバからコンテンツデータを取得するためのアクセス情報を内蔵する記憶部に記憶する第２のステップと、
前記アクセス情報により前記ネットワークサーバから取得可能な前記コンテンツデータの更新時刻を、内蔵する記憶部に記憶する第３のステップと、
前記ネットワークサーバ上にある前記コンテンツデータの更新時刻を取得する第４のステップと、
前記第４のステップで取得した更新時刻が、前記記憶部に記憶する更新時刻と相違する場合に、ネットワークサーバ上の前記コンテンツデータが更新されていることを通知する第５のステップと
を備えることを特徴とする光ディスク読込装置のコンテンツデータ更新通知方法。
【請求項６】
前記第１のステップで読み込む前記光ディスクは、ＨＤ  ＤＶＤ規格の光ディスクであること
を特徴とする請求項５記載のコンテンツデータ更新通知方法。
【請求項７】
前記第４のステップでは、前記光ディスクが挿入された際に、前記ネットワークサーバ状にある前記コンテンツデータの更新時刻を取得すること
を特徴とする請求項５記載のコンテンツデータ更新通知方法。
【請求項８】
前記第４のステップでは、前記光ディスク読込装置の電源投入時に、前記ネットワークサーバ上にある前記コンテンツデータの更新時刻を取得すること
を特徴とする請求項５記載のコンテンツデータ更新通知方法。
【発明の詳細な説明】
【技術分野】
【０００１】
本発明は、光ディスク読込装置、及び光ディスク読込装置のコンテンツデータ更新通知方法に関する。
【背景技術】
【０００２】
近年の例えばＨＤ  ＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｋ）規格等の光ディスクの規格では、ネットワーク機能を提供する枠組みが定められている。このネットワーク機能は様々な利用方法が考えられるが、１つの例として、光ディスクに記録されたＵＲＩ（Ｕｎｉｆｏｒｍ  Ｒｅｓｏｕｒｃｅ  Ｉｄｅｎｔｉｆｉｅｒ）情報等のメタデータに基づいてネットワークサーバに接続し、当該サーバ上に準備されたＡＶ（Ａｕｄｉｏ／Ｖｉｓｕａｌ）データ（以下コンテンツデータとも呼ぶ）やメタデータをダウンロードして再生することが考えられる。このようなネットワーク機能を利用すると、ネットワークサーバ上のデータさえ更新すれば、同じ光ディスクを再生した場合であっても、ユーザに異なる内容やサービスを提供することができる。
【０００３】
ネットワークからコンテンツデータを取得し、それをユーザに通知する方法はいくつか考えられているが、例えば特許文献１には、新しいコンテンツデータを受信した際に、ユーザにその旨を通知する技術が記載されている。
【特許文献１】特開２００４−１１２７８２号公報
【発明の開示】
【発明が解決しようとする課題】
【０００４】
しかしながら、ＵＲＩ情報等のメタデータは光ディスクに記録されているため、ユーザは光ディスクを挿入しない限り、新しいサービスがあるかどうかがわからないという課題があった。コンテンツデータが更新されているかどうかを確認するために毎回光ディスクを挿入する作業は非常に負荷が高く、利用効率の低下にもつながりかねない。
【０００５】
そこで本発明は、光ディスクを挿入せずとも、ネットワークサーバ上のコンテンツデータが更新されているかどうかをユーザが確認することのできる光ディスク読込装置、及びコンテンツデータ更新通知方法を提供することを目的とする。
【課題を解決するための手段】
【０００６】
上記目的を達成するために、本発明の光ディスク読込装置は、光ディスクを読み込む光ディスク読込部と、前記光ディスク読込部が前記光ディスクから読み込んだ、ネットワークサーバからコンテンツデータを取得するためのアクセス情報を記憶すると共に、当該アクセス情報により前記ネットワークサーバから取得可能な前記コンテンツデータの更新時刻を記憶する記憶部と、前記アクセス情報により、前記ネットワークサーバとネットワークを介して通信する通信部と、前記ネットワークサーバ上にある前記コンテンツデータの更新時刻を、前記通信部を介して取得するコンテンツ更新検出部と、前記コンテンツ更新検出部が取得した更新時刻が、前記記憶部が記憶する更新時刻と相違する場合に、ネットワークサーバ上の前記コンテンツデータが更新されていることを通知する通知部とを備えることを特徴とする。
【０００７】
本発明のコンテンツデータ更新通知方法は、光ディスクを読み込む第１のステップと、前記光ディスクから読み込んだ、ネットワークサーバからコンテンツデータを取得するためのアクセス情報を内蔵する記憶部に記憶する第２のステップと、前記アクセス情報により前記ネットワークサーバから取得可能な前記コンテンツデータの更新時刻を、内蔵する記憶部に記憶する第３のステップと、前記ネットワークサーバ上にある前記コンテンツデータの更新時刻を取得する第４のステップと、前記第４のステップで取得した更新時刻が、前記記憶部に記憶する更新時刻と相違する場合に、ネットワークサーバ上の前記コンテンツデータが更新されていることを通知する第５のステップとを備えることを特徴とする。
【発明の効果】
【０００８】
本発明によれば、光ディスクを挿入せずとも、ネットワークサーバ上のコンテンツデータが更新されているかどうかをユーザが確認することのできる光ディスク読込装置、及びコンテンツデータ更新通知方法を提供することができる。
【発明を実施するための最良の形態】
【０００９】
以下、本発明の光ディスク読込装置、及びコンテンツデータ更新通知方法について、図面を参照しながら説明する。
【実施例１】
【００１０】
ＨＤ  ＤＶＤ規格等の光ディスク規格では、ネットワーク機能が用意されている。以下、本実施例の光ディスクはＨＤ  ＤＶＤ規格の光ディスクであるものとして説明するが、ネットワーク機能が提供される光ディスクであれば、ＨＤ  ＤＶＤに限られるものではない。
【００１１】
図１に、本発明の光ディスク読込装置の実施例であるＨＤ  ＤＶＤプレーヤが使用される通信システムの構成例を示す図である。通信システム１は、ＨＤ  ＤＶＤ規格の光ディスクＤが挿入され、再生するＨＤ  ＤＶＤプレーヤ２と、ネットワークサーバ３とから構成される。尚、サーバ装置２及びネットワークサーバ３は、例えばＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）等により通信が行われるＷＷＷ（Ｗｏｒｌｄ  Ｗｉｄｅ  Ｗｅｂ）等であるネットワーク４に接続される。
【００１２】
ＨＤ  ＤＶＤプレーヤ２は、光ディスクＤに記憶されるメタデータに基づきネットワークサーバ３に接続するネットワーク機能を有する。ネットワークサーバ３はコンテンツデータ（音声データ、動画像データ、静止画像データ等のＡＶデータを総称するものとする）を提供しており、ＨＤ  ＤＶＤプレーヤ２はネットワークサーバ３が提供するコンテンツデータを取得し、再生することができる。
【００１３】
図２を参照しながら、ＨＤ  ＤＶＤプレーヤ２のデータソースの扱い方を説明する。図２は、ＨＤ  ＤＶＤプレーヤのデータソースの扱い方を説明するための図である。
【００１４】
図２でＨＤ  ＤＶＤプレーヤ２が有するマネージャ２は、コンテンツデータの再生処理やメタデータの解析処理等を行う管理システムである。このマネージャ２１は、ソフトウェアで実装されているかハードウェアで実装されているかは問わない。
【００１５】
ＨＤ  ＤＶＤプレーヤ２は、光ディスクＤ、ＨＤ  ＤＶＤプレーヤ２が内蔵する例えばメモリ等である記憶装置２２、及びネットワーク４上のネットワークサーバ３を全て「データソース」として論理的に同等に扱うことができる。即ち、これによりＨＤ  ＤＶＤプレーヤ２はコンテンツデータを楽しむために必要な情報を多様なデータソースから取得することができ、これによって従来のネットワーク機能を有さないＤＶＤには無かった新しい利用方法を提供することができるようになっている。
【００１６】
以下、ネットワークサーバ３へのアクセス手順や、その利用方法について図３、図４等を参照しながら説明する。
ネットワークサーバ３へのアクセスは、光ディスクＤに記憶されているメタデータにより実現する。メタデータ内部ではデータの位置を示すためにネットワークサーバ３へのアクセス情報であるＵＲＩ（Ｕｎｉｆｉｅｄ  Ｒｅｓｏｕｒｃｅ  Ｉｄｅｎｔｉｆｉｃａｔｉｏｎ）が記載されている。このネットワークサーバ３へのアクセス情報の記述はＨＤ  ＤＶＤの光ディスクＤが有するメタデータ中のＰｌａｙｌｉｓｔ、若しくはＳｃｒｉｐｔと呼ばれるもので記述することができる。
【００１７】
図３に、Ｐｌａｙｌｉｓｔの記述例を示す。ＰｌａｙｌｉｓｔはＸＭＬ（Ｅｘｔｅｎｓｉｂｌｅ  Ｍａｒｋｕｐ  Ｌａｎｇｕａｇｅ）で記述され、ｓｒｃ属性（Ａｔｔｒｉｂｕｔｅ）によりデータの所在を指定することができる。このｓｒｃ属性の値が「ｈｔｔｐ：／／・・・」で記載されるＵＲＩである場合（図３の例では「ｈｔｔｐ://ｗｗｗ．ｓａｍｐｌｅ．ｃｏｍ／ｔｉｔｌｅ１／ｉｍａｇｅ１．ｐｎｇ」）には、データソースがネットワーク４上のサーバであることを意味する。ＨＤ  ＤＶＤプレーヤ２は、当該ＵＲＩによりネットワークサーバ３に接続し、コンテンツデータをネットワークサーバ３から取得することができる。
【００１８】
例えば、特典映像の情報をネットワークサーバ３で提供することを考える。この場合、光ディスクＤを発売するコンテンツ提供者は、光ディスクＤに記憶されているデータ自体は発売後に上書きすることも変更することもできない。しかしながら、光ディスクＤからデータソースとして参照するネットワークサーバ３上のコンテンツデータを更新すれば、従来とは異なった映像特典をユーザに提供することが可能となり、新たな付加価値を提供することができる。
【００１９】
図４にその例を示す。ＨＤ  ＤＶＤプレーヤ２は、図３に例を示したＰｌａｙｌｉｓｔのメタデータに基づき、「ｈｔｔｐ：／／ｗｗｗ．ｓａｍｐｌｅ．ｃｏｍ／ｔｉｔｌｅ１」というＵＲＩを有するネットワークサーバ３から「ｉｍａｇｅ１．ｐｎｇ」という名前の特典映像のコンテンツデータを取得することができる。このとき、コンテンツ提供者が２００６年７月２日に「ｉｍａｇｅ１．ｐｎｇ」の実体を変化させると、ユーザは７月１日以前と７月２日以降とで異なるコンテンツデータをダウンロードし、再生することが可能となる。
【００２０】
ここで、本実施例のＨＤ  ＤＶＤプレーヤ２は、光ディスクＤから読み込んだネットワークサーバ３へアクセスするためのＵＲＩ等のアクセス情報を、内蔵するメモリ等の記憶媒体に予め読み込んでおき、それに基づいてネットワークサーバ３へ所定のタイミングでアクセスし、更新の有無を確認し、ユーザに結果を通知する。これにより光ディスクＤがＨＤ  ＤＶＤプレーヤ２に挿入されていない場合であっても、コンテンツデータの更新の有無を確認することができる。
【００２１】
図５を参照しながらＨＤ  ＤＶＤプレーヤ２の構成を説明する。図５は、ＨＤ  ＤＶＤプレーヤ２の構成を示す図である。
ＨＤ  ＤＶＤプレーヤ２は、光ディスク読込部２０１と、メタデータ解析部２０２と、コンテンツデータ更新部２０３と、コンテンツ情報記憶部２０４と、トリガ検出部２０５と、ネットワークサーバ接続部２０６と、ネットワークインタフェース部２０７と、コンテンツ更新検出部２０８と、コンテンツ更新通知部２０９と、ユーザイベント取得部２１０とから構成される。尚、図５には図示していないが、光ディスクＤに記録されたＡＶデータＤ１の再生処理を行い、表示装置に映像信号を出力する構成等も有しているものとする。
【００２２】
光ディスク読込部２０１は、例えばＨＤ  ＤＶＤドライブ装置等により構成され、光ディスクＤに記録された情報を量子化して読み出す。光ディスクＤは、ＡＶデータＤ１と共に、メタデータＤ２を記録している。メタデータＤ２には、図３に例を示したＰｌａｙｌｉｓｔ等の形で記載されるネットワークサーバ３へのアクセス情報も含まれる。
【００２３】
メタデータ解析部２０２は、光ディスク読込部２９１が光ディスクＤから読み込んだメタデータを解析し、ネットワークサーバ３へアクセスするためのアクセス情報を抽出する。
【００２４】
コンテンツ情報更新部２０３は、メタデータ解析部２０２によるアクセス情報等の抽出結果をコンテンツ情報記憶部２０４にコンテンツ情報２０４ａとして登録すると共に、ネットワークサーバ３からコンテンツ更新情報検出部８で取得した更新時刻により、コンテンツ情報２０４ａを更新する。
【００２５】
コンテンツ情報記憶部２０４は、コンテンツ情報２０４ａを記憶する、例えば不揮発性で書き換え可能な記憶媒体である。
コンテンツ情報２０４ａの例を、図６を参照しながら説明する。図６のコンテンツ情報２０４の各項目は、タイトル情報、ＵＲＩ情報、及び最終更新時刻の３つの情報から構成される。
【００２６】
タイトル情報は、例えば光ディスクＤのタイトル等の情報である。ユーザがどの光ディスクに関係するデータが更新されているのかを把握できるようにするための情報である。
【００２７】
ＵＲＩ情報は、メタデータ解析部２０２が光ディスクＤ２のメタデータＤ２を解析することにより取得したＵＲＩである。この情報を内蔵する記憶媒体であるコンテンツ情報記憶部２０４ａに記憶しておくことにより、光ディスクＤが挿入されていない場合でも、ＨＤ  ＤＶＤプレーヤ２はネットワークサーバ３へアクセスすることができる。
【００２８】
最終更新時刻は、ネットワークサーバ３が提供するコンテンツデータが最後にいつ更新されたかを記憶しておくものである。ここに記載された更新時刻よりも、ネットワークサーバ３上のコンテンツデータの更新時刻方が新しければ、ネットワークサーバ３が新たなコンテンツデータを提供していると判断することができる。
【００２９】
再び図５の説明に戻り、トリガ検出部２０５は、ネットワークサーバ３にアクセスするトリガを検出する。このトリガとしては、例えばＨＤ  ＤＶＤプレーヤ２への電源投入時、光ディスクの挿入時、ユーザからの明示的な確認指示時等を考えることができる。
【００３０】
ネットワークサーバ接続部２０６は、トリガ検出部２０５がトリガを検出すると、ＨＴＴＰ（Ｈｙｐｅｒｔｅｘｔ  Ｔｒａｎｓｆｅｒ  Ｐｒｏｔｏｃｏｌ）等を利用してネットワークインタフェース部２０７上での論理的なネットワーク接続をネットワークサーバ３との間で実現する。
【００３１】
ネットワークインタフェース部２０７（通信部）は、ＨＤ  ＤＶＤプレーヤ２がインターネット等であるネットワーク４に接続するためのインタフェースを提供する。
【００３２】
コンテンツ更新検出部２０８は、ネットワークサーバ３上のコンテンツデータが更新されたかどうかを検出する。具体的には、例えば先述した通りコンテンツ情報記憶部２０４ａとして記憶されている最終更新時刻と、ネットワークサーバ３から取得した更新時刻とを比較することにより、更新の有無を検出することができる。
【００３３】
コンテンツ更新通知部２０９は、コンテンツ更新検出部２０８がネットワークサーバ３上のコンテンツデータが更新されたことを検出したときに、ユーザにその旨を通知する。ユーザへの通知方法としては、例えば図７のような表示画面を作成して図示しない表示装置に出力する方法が考えられる。図７の表示画面７１の例では、「タイトル『○○○○』のデータが更新されています。」というメッセージを表示している。ここで、タイトル名としては、コンテンツ情報２０４ａとして記憶しているタイトル情報を使用すればよい。
【００３４】
また、図７の表示画面７１の例では「この情報を登録しますか？」というメッセージを表示し、登録の可否をユーザが入力できるようにしている。もし「Ｙｅｓ」をユーザが選択すれば、コンテンツ情報更新部２０３はコンテンツ情報２０４ａの最終更新時刻を更新する。「Ｎｏ」が選択された場合にはコンテンツ情報２０４ａは更新しない。これによりユーザが「Ｎｏ」を選んだ場合には、再度トリガ検出部２０５がトリガを検出した場合にも再度ユーザに通知することができる。
【００３５】
この他、コンテンツ更新通知部２０９が音声としてユーザに通知する方法等も考えられる。
ユーザイベント取得部２１０は、例えばリモコンやマウス等の入力インタフェースにより与えられるユーザイベントを検出する。
ＨＤ  ＤＶＤプレーヤ２の処理について、図８及び図９を参照しながら説明する。図８は、光ディスクＤが挿入された際のＨＤ  ＤＶＤプレーヤ２の処理の流れを示すフローチャートである。
【００３６】
光ディスクＤがＨＤ  ＤＶＤプレーヤ２に挿入されると（Ｓ７０１）、光ディスク読込部２０１は光ディスクＤからデータを読込み（Ｓ７０２）、メタデータ解析部２０２が当該メタデータＤ２を解析する（Ｓ７０３）。解析した結果、メタデータＤ２中にネットワークサーバ３へアクセスするためのＵＲＩ等のアクセス情報が無ければ、図８の処理を終了し、通常の光ディスクＤの再生処理等を行う。
【００３７】
一方、メタデータＤ２中にアクセス情報がある場合には（Ｓ７０４のＹｅｓ）、ネットワークサーバ接続部２０６はそのアクセス情報に基づいてネットワークサーバ３との接続処理を行う（Ｓ７０５）。
【００３８】
さらに、コンテンツ更新検出部２０８は、ネットワークサーバ３上のコンテンツデータの更新時刻を検出する（Ｓ７０６）。ネットワークサーバ３上のコンテンツデータの更新時刻は、例えばＨＴＴＰで定義されているＬａｓｔ−ＭｏｄｉｆｉｅｄやＩｆ−Ｍｏｄｉｆｉｅｄ−Ｓｉｎｃｅ等を利用することができる。これらはＨＴＴＰのヘッダフィールドに定義されており、例えばＬａｓｔ−Ｍｏｄｉｆｉｅｄの場合には、ＨＴＴＰパケットのヘッダフィールドに「Ｌａｓｔ−Ｍｏｄｉｆｉｅｄ  Ｓａｔ，  １５  Ｊｕｌ  ２００６  １２：４５：２６ＧＭＴ」等のデータがサーバから戻ってくるので、この時刻によりネットワークサーバ３上のコンテンツデータの更新時刻を知ることができる。
【００３９】
尚、実際にコンテンツデータ９をネットワークサーバ３からダウンロードして更新の有無を確認しても良いが、上述の処理の方が実際にダウンロードする必要が無いため、応答性を高めることができる。
【００４０】
次に、コンテンツ更新検出部２０３は、当該コンテンツデータについて、コンテンツ情報２０４ａとして登録済みであるか否かを判断する（Ｓ７０７）。もし、既に当該コンテンツデータについての項目が既にコンテンツ情報２０４ａとして登録されている場合には（Ｓ７０７のＹｅｓ）、コンテンツ更新検出部２０８は、Ｓ７０６で取得したネットワークサーバ３上のコンテンツデータの更新時刻と、コンテンツ情報２０４ａに登録されている更新時刻とを比較する（Ｓ７０８）。もしもネットワークサーバ３上のコンテンツデータの更新時刻の方が新しい場合には、ネットワークサーバ３のコンテンツデータは前回アクセス時から更新されていることになるので、コンテンツ更新通知部２０９はユーザにその旨を通知する（Ｓ７０９）。コンテンツ更新通知部２０９による通知方法は、先述のように例えば図７の表示画面７１のような画面を表示装置に表示させればよい。
【００４１】
もし、ネットワークサーバ３上のコンテンツデータが更新されていない場合には（Ｓ７０８のＮｏ）、ユーザにその旨を通知する必要はないので図８の処理を終了し、通常の光ディスクＤの再生処理等に移る。
【００４２】
コンテンツデータが更新されている旨を通知した後（Ｓ７０９）、或いは当該コンテンツデータの情報がコンテンツ情報２０４ａとして登録されていない場合には（Ｓ７０７のＮｏ）、ネットワークサーバ３から取得した更新時刻を当該コンテンツデータに係る最終更新時刻としてコンテンツ情報２０４ａに登録するか否かを判断する（Ｓ７１０）。これは、例えば図７の表示画面７１のように、ユーザに選択させるようにしても良いし、或いは実際に当該コンテンツデータが再生されたか否か等に基づいて判断するようにしても良い。ユーザに選択させる場合には、ユーザイベント取得部２１０がユーザからのキー入力等の情報を受け取ることになる。
【００４３】
もし更新する場合には（Ｓ７１０のＹｅｓ）、ネットワークサーバ３から取得した更新時刻を最終更新時刻としてコンテンツ情報２０４ａを更新する（Ｓ７１１）。
次に、図９を参照しながら光ディスクＤの挿入以外のトリガをトリガ検出部２０５が検出した場合の処理を説明する。トリガ検出部２０５が検出するトリガとしては、先述のように例えば電源の投入やユーザからのコンテンツデータ更新確認指示等が考えられる。
【００４４】
トリガ検出部２０５がトリガを検出すると（Ｓ８０１）、ネットワークサーバ接続部２０６はコンテンツ情報２０４ａに記載されたＵＲＩに基づいてネットワークサーバ３との接続処理を行う（Ｓ８０２）。
【００４５】
更に、コンテンツ更新検出部２０８は、ネットワークサーバ３上のコンテンツデータの更新時刻を取得する（Ｓ８０３）。この処理は、図７のＳ７０６の処理と同様であるので処理の詳細は省略する。
【００４６】
次に、コンテンツ更新検出部２０３は、Ｓ８０３で取得したネットワークサーバ３上のコンテンツデータの更新時刻と、コンテンツ情報２０４ａに登録されている更新時刻とを比較することにより、ネットワークサーバ上のコンテンツデータが更新されているか否かを判断する（Ｓ８０４）。この処理は図７のＳ７０８の処理に対応する。
【００４７】
もしネットワークサーバ３上のコンテンツデータが更新されていない場合には（Ｓ８０４のＮｏ）、ユーザに更新を通知する必要もコンテンツ情報２０４ａを更新する必要も無いため、処理を終了する。
【００４８】
ネットワークサーバ３上のコンテンツデータが更新されている場合には（Ｓ８０４のＹｅｓ）、コンテンツ更新通知部２０９は例えば図７の表示画面７１を表示する等の手法により、ユーザにその旨を通知する（Ｓ８０５）。この処理は図７のＳ７０９の処理と同様である。
【００４９】
その後、コンテンツ情報更新部２０３は当該更新時刻をコンテンツ情報２０４ａに登録するか否かを判断する（Ｓ８０６）。もし更新する場合には（Ｓ８０６のＹｅｓ）、Ｓ８０３でネットワークサーバ３から取得した更新時刻を最終更新時刻としてコンテンツ情報２０４ａを更新する（Ｓ８０７）。
【００５０】
以上説明したように、本実施例によれば、ネットワークサーバ３へアクセスするためのＵＲＩ等のアクセス情報を光ディスクＤから読込み、内蔵する記憶媒体であるコンテンツ情報記憶部２０４として記憶しておく。これにより、光ディスクＤをいちいち挿入しなくとも、ユーザの所望のタイミングで新たなコンテンツデータが提供されているか否かを確認することができる。ユーザはコンテンツデータが更新されている場合にのみ光ディスクを挿入して新しく提供されたコンテンツデータを視聴すればよく、ユーザの利便性が著しく向上する。
【図面の簡単な説明】
【００５１】
【図１】本発明の実施例１に係るＨＤ  ＤＶＤプレーヤが使用される通信システムの構成を示す図。
【図２】本発明の実施例１に係るＨＤ  ＤＶＤプレーヤのデータソースの扱い方を説明するための図。
【図３】本発明の実施例１に係るＨＤ  ＤＶＤプレーヤが読み込む光ディスクに記述されるメタデータの例を示す図。
【図４】本発明の実施例１に係るＨＤ  ＤＶＤプレーヤがネットワークサーバからコンテンツデータを取得する処理について説明するための図。
【図５】本発明の実施例１に係るＨＤ  ＤＶＤプレーヤの構成を示す図。
【図６】本発明の実施例１に係るＨＤ  ＤＶＤプレーヤが記憶するコンテンツ情報の例を示す図。
【図７】本発明の実施例１に係るＨＤ  ＤＶＤプレーヤが表示させる表示画面の例を示す図。
【図８】本発明の実施例１に係るＨＤ  ＤＶＤプレーヤの処理の流れを示す図。
【図９】本発明の実施例１に係るＨＤ  ＤＶＤプレーヤの処理の流れを示す図。
【符号の説明】
【００５２】
１・・・通信システム
２・・・ＨＤ  ＤＶＤプレーヤ
３・・・ネットワークサーバ
４・・・ネットワーク
２１・・・マネージャ
２２・・・内蔵記憶装置
７１・・・表示画面
２０１・・・光ディスク読込部
２０２・・・メタデータ解析部
２０３・・・コンテンツ情報更新部
２０４・・・コンテンツ情報記憶部
２０４ａ・・・コンテンツ情報
２０５・・・トリガ検出部
２０６・・・ネットワークサーバ接続部
２０７・・・ネットワークインタフェース部
２０８・・・コンテンツ更新検出部
２０９・・・コンテンツ更新通知部
２１０・・・ユーザイベント取得部
Ｄ・・・光ディスク
【図１】
2008090909.tif 000003
【図２】
2008090909.tif 000004
【図３】
2008090909.tif 000005
【図４】
2008090909.tif 000006
【図５】
2008090909.tif 000007
【図６】
2008090909.tif 000008
【図７】
2008090909.tif 000009
【図８】
2008090909.tif 000010
【図９】
2008090909.tif 000011